(57)【要約】【課題】家具と天井との間の空間を有効に利用して、家具の転倒防止にも寄与する転倒防止家具を提供する。【解決手段】家具９１と天井９２との間に設置する収納ユニット１０と、収納ユニット１０の背面を構成する本体背板（第１の背板）１１と、本体背板１１の後方向１１２に配置されたスライド背板（第２の背板）２１であって、本体背板１１に沿って上下方向１００に昇降するスライド背板２１と、スライド背板２１を本体背板１１に固定する固定手段４０とを有する転倒防止家具１である。【選択図】図１
2012135429.tif 000002
【特許請求の範囲】
【請求項１】
家具と天井との間に設置する収納ユニットと、
前記収納ユニットの背面を構成する第１の背板と、
前記第１の背板に沿って上下方向に昇降する第２の背板とを有する、転倒防止家具。
【請求項２】
請求項１において、さらに、
前記天井に接触可能な平板であって、前記第２の背板の上方向の端部に設けられた平板を有する、転倒防止家具。
【請求項３】
請求項１において、さらに、
前記第２の背板を前記上下方向に昇降させる昇降手段を有する、転倒防止家具。
【請求項４】
請求項３において、さらに、
前記天井に接触可能な平板であって、前記第２の背板の上方向の端部に設けられた平板を有し、
前記昇降手段は、前記収納ユニットの上面を構成する天板を貫通し、前記平板を前記上下方向に昇降可能な第１の高さ調節ボルトを含む、転倒防止家具。
【請求項５】
請求項３または４において、
前記第２の背板は、前記収納ユニットの上面を構成する天板を貫通しており、さらに、前記天板よりも下方向に設けられた突出部を含み、
前記昇降手段は、前記第２の背板の前記突出部を前記上下方向に昇降可能な第２の高さ調節ボルトを含む、転倒防止家具。
【請求項６】
請求項１ないし５のいずれかにおいて、さらに、
前記第２の背板を前記第１の背板に固定する固定手段を有する、転倒防止家具。
【請求項７】
請求項６において、
前記第２の背板は、前記上下方向に延びたスリットを含み、
前記固定手段は、前記第２の背板を、前記第１の背板とともに挟むプレートと、
前記スリットを介して前記プレートと前記第１の背板とを連結するボルトおよびナットとを含む、転倒防止家具。
【請求項８】
家具の背面を構成する背板に沿って上下方向に昇降するスライド背板と、
前記スライド背板を前記背板に固定する固定手段とを有する、転倒防止装置。
【請求項９】
請求項８において、さらに、
天井に接触可能な平板であって、前記スライド背板の上方向の端部に設けられた平板を有する、転倒防止装置。
【請求項１０】
請求項８または９において、
前記スライド背板は、前記上下方向に延びたスリットを含み、
前記固定手段は、前記スライド背板を、前記背板とともに挟むプレートと、
前記スリットを介して前記プレートと前記背板とを連結するボルトおよびナットとを含む、転倒防止装置。
【発明の詳細な説明】
【技術分野】
【０００１】
本発明は、家具と天井との間に設置する転倒防止家具および転倒防止装置に関するものである。
【背景技術】
【０００２】
特許文献１には、地震などの場合に家具が転倒しないようにした家具を提供し、転倒防止手段を家具自体に設けて紛失しにくいようにし、更に転倒防止手段の設置時にも部屋の壁面等を傷つけることがないようにした家具を提供することが記載されている。そのため、特許文献１には、家具本体は、左右両側に側板を、上部に天板を備えており、天板の正面から見て天板の左右両側板側には支脚を挿通させる四角形状の挿通孔が設けてあり、挿通孔に断面四角形状の支脚が昇降可能に嵌挿してあり、支脚の上端には当接板が設けてあり、支脚の側面には長さ方向に所要数の止め穴が設けてあることが記載されている。
【先行技術文献】
【特許文献】
【０００３】
【特許文献１】特開平８−２１４９７２号公報
【発明の概要】
【発明が解決しようとする課題】
【０００４】
本発明においては、家具と天井との間の空間を有効に利用して、家具の転倒防止にも寄与する転倒防止家具を提供することを目的の１つとしている。
【課題を解決するための手段】
【０００５】
本発明の態様の１つは、家具と天井との間に設置する収納ユニットと、収納ユニットの背面を構成する第１の背板と、第１の背板に沿って上下方向に昇降する第２の背板とを有する転倒防止家具である。
【０００６】
この転倒防止家具においては、第２の背板を第１の背板に沿って上方向に押し上げて、天井に接触あるいは近接させた状態でセットすることにより、家具の転倒を抑制することができる。さらに、収納ユニットにより、家具と天井との間の空間を収納スペースとして有効に利用することができる。さらに、第２の背板は、第１の背板に沿って昇降するため、転倒防止家具を使用するユーザーの視野に入りにくく、ユーザーへ与える圧迫感を軽減しやすい。
【０００７】
この転倒防止家具においては、さらに、天井に接触可能な平板であって、第２の背板の上方向の端部に設けられた平板を有することが望ましい。天井に損傷を与えることを抑制しやすい。
【０００８】
この転倒防止家具においては、さらに、第２の背板を上下方向に昇降させる昇降手段を有することが望ましい。昇降手段は、収納ユニットの上面を構成する天板を貫通し、平板を上下方向に昇降可能な第１の高さ調節ボルトを含むことが望ましい。第２の背板は、収納ユニットの上面を構成する天板を貫通しており、さらに、天板よりも下方向に設けられた突出部を含み、昇降手段は、第２の背板の突出部を上下方向に昇降可能な第２の高さ調節ボルトを含むことが望ましい。
【０００９】
この転倒防止家具においては、さらに、第２の背板を第１の背板に固定する固定手段を有することが望ましい。第２の背板は、上下方向に延びたスリットを含み、固定手段は、第２の背板を、第１の背板とともに挟むプレートと、スリットを介してプレートと第１の背板とを連結するボルトおよびナットとを含むことが望ましい。第２の背板を第１の背板に簡単かつ低コストで固定できる。
【００１０】
本発明の異なる態様の１つは、家具の背面を構成する背板に沿って上下方向に昇降するスライド背板と、スライド背板を背板に固定する固定手段とを有する転倒防止装置である。この転倒防止装置においては、さらに、天井に接触可能な平板であって、スライド背板の上方向の端部に設けられた平板を有することが望ましい。さらに、スライド背板は、上下方向に延びたスリットを含み、固定手段は、スライド背板を、背板とともに挟むプレートと、スリットを介してプレートと背板とを連結するボルトおよびナットとを含むことが望ましい。
【図面の簡単な説明】
【００１１】
【図１】家具と天井との間に設置した転倒防止家具の概要を示した図。
【図２】家具と天井との間に設置した転倒防止家具の概要を模式的に示した断面図。
【図３】転倒防止家具を正面方向から見た図。
【図４】転倒防止家具を背面方向から見た図。
【図５】異なる転倒防止家具を正面方向から見た図。
【図６】異なる転倒防止下部を背面方向から見た図。
【図７】転倒防止装置の概要を示した図。
【発明を実施するための形態】
【００１２】
図１に、本発明の実施形態の１つである転倒防止家具１を設置した様子を示している。転倒防止家具１は、家具９１と天井９２との間の空間９３に、家具９１の上に置かれた状態で設置されている。転倒防止家具１は、箱型の収納ユニット１０と、収納ユニット１０の背面方向（後方向）１１２に配置された逆Ｌ字型の昇降ユニット２０とを備えている。収納ユニット１０は、全体として直方体状の中空体で、正面方向（前方向）１１１に設けられた左右２つの扉１６ａおよび１６ｂを開閉することにより物を収納できる。昇降ユニット２０は、上下方向１００に延びた長方形板状のスライド背板２１と、スライド背板２１の上方向１０１の端部２１ａに、スライド背板２１に対してほぼ直角に取り付けられた板状の平板２５とを備えている。昇降ユニット２０は、上下方向１００に昇降可能で、本例では平板２５が天井９２に近接し、スライド背板２１が家具９１と天井９２との間の壁９４に接触した状態で、後述する固定手段４０により収納ユニット１０にセットされている。
【００１３】
図２に、転倒防止家具１を設置した様子を断面図により模式的に示している。図１および図２に示すように、収納ユニット１０は、背面を構成する第１の背板（本体背板）１１と、上面を構成する天板１２と、底面を構成する底板１３と、左右の側面を構成する側板１４および１５と、正面を構成する扉１６（１６ａ、１６ｂ）とを備えている。昇降ユニット２０のスライド背板（第２の背板）２１は、固定手段４０により収納ユニット１０の本体背板１１にセットされている。すなわち、この転倒防止家具１は、家具９１と天井９２との間に設置する収納ユニット１０と、収納ユニット１０の背面を構成する第１の背板（本体背板）１１と、本体背板１１の後方向１１２に配置された第２の背板２１であって、本体背板１１に沿って上下方向１００に昇降する第２の背板（スライド背板）２１と、スライド背板２１を本体背板１１に固定する固定手段４０とを備えている。この転倒防止家具１においては、本体背板１１とスライド背板２１とが接した状態、すなわち２枚の板が面接触の状態で固定されているため、簡易な構成でありながら、収納ユニット１０と昇降ユニット２０との強固で安定した連結が可能である。
【００１４】
図２に示すように、地震などにより家具９１に対して前後方向１１０の横揺れが発生すると、家具９１には前方向１１１の下端部９１ａを支点として回転しようとするモーメント（転倒モーメント）８１が作用する。この転倒防止家具１においては、スライド背板２１を上方向１０１にスライドさせ平板２５を天井９２に近接させた状態で、スライド背板２１が本体背板１１に固定されている。このため、家具９１の後方向１１２の上端部９１ｂの持ち上がり（浮き上がり）に対して対抗するモーメント（抵抗モーメント）８２を家具９１に作用させ、家具９１の転倒を防止することができる。スライド背板２１は、家具９１が転倒する際に持ち上がりやすい上端部９１ｂから壁９４に沿って上方向１０１に延びているため、前後方向１１０の横揺れに伴う転倒モーメント８１に対抗する抵抗モーメント８２を家具９１に作用させやすい。
【００１５】
図１および図２に示すように、この転倒防止家具１においては、収納ユニット１０により、家具９１と天井９２との間の空間９３を収納スペースとして有効に利用することができる。さらに、スライド背板２１は、昇降ユニット２０が収納ユニット１０の上方向１０１の空間９３ａへ迫り出さないように、本体背板１１および壁９４に沿ってセットされている。このため、壁９４に沿って配置されたスライド背板２１は、転倒防止家具１を使用するユーザーの視野に入りにくく、目立ちにくい。したがって、この転倒防止家具１においては、ユーザーへ与える圧迫感がなく、あるいは極めて少なく、収納ユニット１０の上方向１０１の空間９３ａに邪魔なものがない、すっきりとした外観（デザイン）を提供できる。
【００１６】
さらに、スライド背板２１は一枚板であるため、色彩を調整することにより壁９４に馴染ませやすく、家具９１や他の家具との調和も図りやすい。このため、この転倒防止家具１を使用するユーザーに、圧迫感や違和感を与えることなく、あたかもスライド背板２１が壁９４に溶け込んでいるかのような美感（印象）を与えやすい。さらに、スライド背板２１は一枚板であるため、左右方向１２０の横揺れに対しても強く、壁９４との接触面積も増加させやすい。このため、この転倒防止家具１においては、平板２５および天井９２と、スライド背板２１および壁９４との２面が接触しているため、左右方向１２０の横揺れに対しても家具９１を支持しやすい。さらに、この転倒防止家具１においては、昇降ユニット２０の平板２５が天井９２に近接した状態、すなわち平板２５が天井９２から若干離れた非接触の状態で固定されているため、天井９２に損傷を与えることを抑制しやすい。
【００１７】
図３に、転倒防止家具１を前方向１１１から見た斜視図により示している。図４に、転倒防止家具１を後方向１１２から見た斜視図により示している。図３に示すように、収納ユニット１０の天板１２には、天板１２を上下方向１００に貫通した孔１２ａが、本体背板１１に近接した位置に設けられている。転倒防止家具１は、さらに、スライド背板２１を上下方向１００に昇降させる昇降手段３０を備えている。昇降手段３０は、天板１２の孔１２ａを貫通し、昇降ユニット２０の平板２５を上下方向１００に昇降可能な第１の高さ調節ボルト３１と、孔１２ａにセットされたナット３３と、高さ調節ボルト３１を回転させるハンドル３４とを備えている。このため、ハンドル３４を操作して高さ調節ボルト３１を上昇させることにより、スライド背板２１を押し上げ、平板２５を上下方向１００の所定の高さに調節することができる。
【００１８】
図４に示すように、スライド背板２１は、下方向１０２の端部２１ｂから上方向１０１に延びた高さ調節のための２つのスリット（溝）２２を備えている。上述のとおり、転倒防止家具１は、スライド背板２１を本体背板１１に固定する固定手段４０を備えている。図３および図４に示すように、固定手段４０は、スライド背板２１を、本体背板１１とともに後方向１１２から挟む左右方向１２０に延びた２つのプレート４１と、スリット２２を介してプレート４１と本体背板１１とを連結する４組のボルト４２およびナット４３とを備えている。このため、高さ調節ボルト３１により所定の高さに押し上げられたスライド背板２１を本体背板１１に固定することができる。さらに、高さ調節ボルト３１は、スライド背板２１を本体背板１１に固定した後で取り外すことが可能で、ユーザーに違和感を与えることを防止できる。本体背板１１には、ボルト４２を通すための左右一対の孔１１ａが、スライド背板２１を固定する高さに応じて３段（列）に設けられている。本例のスライド背板２１は、本体背板１１の上方向１０１の２段の孔１１ａに４組のボルト４２を挿入することにより固定されている。なお、孔１１ａの個数や配置は、本例に限定されない。
【００１９】
図４に示すように、スライド背板２１に形成された左右方向１２０に対称な２つのスリット２２は、スライド背板２１の上下方向１００の中央よりも下方向１０２、すなわちスライド背板２１の下半分の位置に配置されている。このため、図３に示すように、スライド背板２１を本体背板１１に沿って上方向１０１に押し上げた場合に、前方向１１１にスリット２２が表れにくく、スリット２２がユーザーの視野に入ることを抑制しやすい。さらに、スリット２２がスライド背板２１の下半分の位置に配置されているため、スライド背板２１の強度が低下することも抑制できる。さらに、図３および図４に示すように、本体背板１１の後方向１１２には、スライド背板２１を左右方向１２０から覆い隠す化粧材１７が取り付けられている。このため、スライド背板２１が左右方向１２０に剥き出しの状態で表れることを防止でき、転倒防止家具１の美観を向上できる。
【００２０】
なお、スライド背板２１および本体背板１１の大きさや形状は、本例に限定されない。本例のスライド背板２１の上下方向１００の長さｈ２は、本体背板１１の上下方向１００の長さｈ１の１．５倍程度であるが、ｈ２はｈ１とほぼ同じ程度であってもよい。家具９１と天井９２との間の空間９３の上下方向１００の長さ（高さ）が大きい場合には、スライド背板２１を押し上げる距離が大きくなりやすいため、ｈ２をｈ１の１．４〜１．６倍程度とすることによりスライド背板２１と本体背板１１との接触面積を確保しやすい。たとえば、家具９１の高さが１８０ｃｍ、床から天井９２までの高さが２４５ｃｍであり、ｈ１が４０ｃｍの転倒防止家具１を空間９３に設置する場合には、ｈ２は５５〜６５ｃｍ程度であることが好ましい。以降の実施形態においても同様である。
【００２１】
一方、家具９１と天井９２との間の空間９３の上下方向１００の長さ（高さ）が小さい場合には、ｈ２をｈ１の１．０〜１．１倍程度とすることが好ましい。たとえば、家具９１の高さが２００ｃｍ、床から天井９２までの高さが２４５ｃｍであり、ｈ１が４０ｃｍの転倒防止家具１を空間９３に設置する場合には、ｈ２は４０〜４５ｃｍ程度であることが好ましい。このように、家具９１と天井９２との間の空間９３が狭い場合には、スライド背板２１を押し上げる距離も小さくなるため、スライド背板２１がユーザーの視野に入ることをいっそう抑制できる。以降の実施形態においても同様である。
【００２２】
また、本例の昇降手段３０および固定手段４０は、簡単かつ低コストで行うことが可能な一例であるが、本例に限定されない。また、本例の平板２５は、天井９２に近接させた状態で固定されているが、天井９２に接触させた状態で固定することも可能である。上述のとおり、スライド背板２１は、家具９１が転倒する際に持ち上がりやすい上端部９１ｂから壁９４に沿って上方向１０１に延びているため、転倒モーメントに対抗する抵抗モーメントを家具９１にいっそう作用させやすく、前後方向１１０の横揺れだけでなく上下方向１００の縦揺れに対しても家具９１を支持しやすい。以降の実施形態においても同様である。
【００２３】
また、平板２５は、スライド背板２１の端部２１ａから前方向１１１に若干突き出るように取り付けられているが、平板２５の大きさや形状も本例に限定されず、たとえば、平板２５の前方向１１１の端部を丸みを帯びた形状として、ユーザーに柔らかい美感（印象）を与えることも可能である。さらに、平板２５をスライド背板２１の端部２１ａから後方向１１２に若干突き出るように取り付け、Ｔ字型の昇降ユニット２０を構成することも可能である。また、収納ユニット１０の底板１３と家具９１の上面との間に凹凸（ほぞ）を設け、転倒防止効果を向上させることも可能である。また、本例の転倒防止家具１は、タンス、クローゼット、本棚、食器棚、キャビネットなどの各種家具に設置することが可能である。以降の実施形態においても同様である。
【００２４】
図５に、本発明の異なる実施形態の１つである転倒防止家具１ａを前方向１１１から見た斜視図により示している。図６に、転倒防止家具１ａを後方向１１２から見た斜視図により示している。図５に示すように、収納ユニット１０の天板１２には、天板１２を上下方向１００に貫通し左右方向１２０に延びたスリット１２ｂが、本体背板１１に面する位置に設けられている。このため、本例のスライド背板２１は、天板１２のスリット１２ｂを貫通して、収納ユニット１０の内部に挿入されている。さらに、スライド背板２１は、天板１２よりも下方向１０２に設けられた突起板（突出部）２６を備えている。突起板２６は、スライド背板２１に対してほぼ直角に、前方向１１１に若干突き出るように取り付けられている。昇降手段３０は、スライド背板２１の突起板２６を上下方向１００に昇降可能な第２の高さ調節ボルト３２と、２つの高さ調節ボルト３２を支持する台座３５と、台座にセットされたナット３３と、高さ調節ボルト３２を回転させるハンドル３４とを備えている。このため、ハンドル３４を操作して高さ調節ボルト３２を上昇させることにより、スライド背板２１を押し上げ、平板２５を上下方向１００の所定の高さに調節することができる。なお、以降の実施形態において上記実施形態と共通の構成については、共通の符号を付して説明を省略する。
【００２５】
図５および図６に示すように、本例の固定手段４０は、スライド背板２１を、本体背板１１とともに前方向１１１から挟む左右方向１２０に延びた２つのプレート４１と、スリット２２を介してプレート４１と本体背板１１とを連結する４組のボルト４２およびナット４３とを備えている。すなわち、本例の転倒防止家具１ａも、家具９１と天井９２との間に設置する収納ユニット１０と、収納ユニット１０の背面を構成する第１の背板（本体背板）１１と、本体背板１１の前方向１１１に配置された第２の背板２１であって、本体背板１１に沿って上下方向１００に昇降する第２の背板（スライド背板）２１と、スライド背板２１を本体背板１１に固定する固定手段４０とを備えている。
【００２６】
この転倒防止家具１ａにおいても、スライド背板２１を上方向１０１にスライドさせ平板２５を天井９２に近接させた状態で、スライド背板２１を本体背板１１に固定できる。このため、転倒防止家具１と同様に、家具９１の後方向１１２の上端部９１ｂの浮き上がりに対して対抗する抵抗モーメントを家具９１に作用させ、家具９１の転倒を防止することができる。さらに、この転倒防止家具１ａにおいても、収納ユニット１０により、家具９１と天井９２との間の空間９３を収納スペースとして有効に利用することができる。さらに、昇降ユニット２０のスライド背板２１は、昇降ユニット２０が収納ユニット１０の上方向１０１の空間９３ａへ迫り出さないように、本体背板１１に沿ってセットされている。このため、本体背板１１に沿って配置されたスライド背板２１は、転倒防止家具１ａを使用するユーザーの視野に入りにくく、目立ちにくい。したがって、この転倒防止家具１ａにおいても、ユーザーへ与える圧迫感がなく、あるいは極めて少なく、収納ユニット１０の上方向１０１の空間９３ａに邪魔なものがない、すっきりとした外観（デザイン）を提供できる。
【００２７】
さらに、この転倒防止家具１ａにおいては、スライド背板２１が天板１２のスリット１２ｂを貫通し、収納ユニット１０の内部に収納されている。このため、転倒防止家具１とは異なり、スライド背板２１を左右方向１２０から覆い隠す化粧材１７を取り付ける必要はない。さらに、昇降手段３０および固定手段４０も、収納ユニット１０の内部に収納されているため、外観上ユーザーの視野に入ることはなく、全体としてすっきりとまとまったデザインの転倒防止家具１ａを提供できる。
【００２８】
なお、本例の転倒防止家具１ａにおいては、昇降手段３０によりスライド背板２１を所定の高さに調節した状態で支持できるため、固定手段４０を設けないことも可能である。この場合、スライド背板２１にスリット２２を設ける必要はない。
【００２９】
図７に、本発明のさらに異なる実施形態の１つである転倒防止装置５を設置した様子を示している。転倒防止装置５は、家具９１の背面を構成する背板９１ｃに沿って上下方向に昇降するスライド背板２１と、スライド背板２１を背板９１ｃに固定する固定手段４０と、天井９２に接触可能な平板２５であって、スライド背板２１の上方向１０１の端部２１ａにほぼ直角に取り付けられた平板２５とを備えている。スライド背板２１も、下方向１０２の端部２１ｂから上方向１０１に延びた高さ調節のための２つのスリット（溝）２２を備えている。固定手段４０は、スライド背板２１を、背板９１ｃとともに後方向１１２から挟む左右方向１２０に延びた２つのプレート４１と、スリット２２を介してプレート４１と背板９１ｃとを連結する４組のボルト４２およびナット４３とを備えている。
【００３０】
このように、家具９１と天井９２との間の空間９３が狭く、上記の転倒防止家具１および１ａを設置できないような場合には、転倒防止装置５を家具９１に対して直接取り付けることができる。この転倒防止装置５においても、スライド背板２１を上方向１０１にスライドさせ平板２５を天井９２に近接させた状態で、スライド背板２１を背板９１ｃに固定できる。このため、転倒防止家具１および１ａと同様に、家具９１の後方向１１２の上端部９１ｂの浮き上がりに対して対抗する抵抗モーメントを家具９１に作用させ、家具９１の転倒を防止することができる。さらに、スライド背板２１は、家具９１の上方向１０１の空間９３へ迫り出さないように、背板９１ｃおよび壁９４に沿ってセットされている。このため、壁９４に沿って配置されたスライド背板２１は、ユーザーの視野に入りにくく、目立ちにくい。したがって、この転倒防止装置５においても、ユーザーへ与える圧迫感がなく、あるいは極めて少なく、家具９１の上方向１０１の空間９３に邪魔なものがない、すっきりとした外観（デザイン）を提供できる。
【００３１】
なお、家具９１の左右方向１２０の幅が広いような場合には、複数の転倒防止装置５を左右方向１２０に並べて取り付けることも可能である。
【符号の説明】
【００３２】
１、１ａ  転倒防止家具、  ５  転倒防止装置
１１  第１の背板（本体背板）
２１  第２の背板（スライド背板）
３０  昇降手段
４０  固定手段
【図１】
2012135429.tif 000003
【図２】
2012135429.tif 000004
【図３】
2012135429.tif 000005
【図４】
2012135429.tif 000006
【図５】
2012135429.tif 000007
【図６】
2012135429.tif 000008
【図７】
2012135429.tif 000009
【手続補正書】
【提出日】平成24年2月6日(2012.2.6)
【手続補正１】
【補正対象書類名】特許請求の範囲
【補正対象項目名】全文
【補正方法】変更
【補正の内容】
【特許請求の範囲】
【請求項１】
家具と天井との間に設置する収納ユニットと、
前記収納ユニットの背面を構成する第１の背板と、
前記第１の背板に沿って上下方向にスライドする第２の背板であって、前記上下方向に延びた少なくとも１つのスリットを含む第２の背板と、
所定の高さにスライドさせた前記第２の背板を、前記少なくとも１つのスリットを介して前記第１の背板に固定する固定手段とを有する、転倒防止家具。
【請求項２】
請求項１において、
前記第１の背板は、前記上下方向に設けられた複数段の孔を含み、
前記固定手段は、前記第２の背板と前記第１の背板とを、前記少なくとも１つのスリットを介して前記複数段の孔の少なくともいずれかで連結するボルトおよびナットを含む、転倒防止家具。
【請求項３】
請求項２において、
前記固定手段は、前記第２の背板を前記第１の背板とともに挟むプレートを含み、
前記ボルトおよびナットは、前記少なくとも１つのスリットを介して前記プレートと前記第１の背板とを連結している、転倒防止家具。
【請求項４】
請求項１ないし３のいずれかにおいて、
前記第１の背板の前記上下方向の長さｈ１と、前記第２の背板の前記上下方向の長さｈ２とが以下の条件を満たす、転倒防止家具。
１．０≦ｈ２／ｈ１≦１．６
【請求項５】
請求項１ないし４のいずれかにおいて、さらに、
前記天井に接触可能な平板であって、前記第２の背板の上方向の端部に設けられた平板を有する、転倒防止家具。
【請求項６】
請求項１ないし４のいずれかにおいて、さらに、
前記第２の背板を前記上下方向にスライドさせる昇降手段を有する、転倒防止家具。
【請求項７】
請求項６において、さらに、
前記天井に接触可能な平板であって、前記第２の背板の上方向の端部に設けられた平板を有し、
前記昇降手段は、前記収納ユニットの上面を構成する天板を貫通し、前記平板を前記上下方向に昇降可能な第１の高さ調節ボルトを含む、転倒防止家具。
【請求項８】
請求項６または７において、
前記第２の背板は、前記収納ユニットの上面を構成する天板を貫通しており、さらに、前記天板よりも下方向に設けられた突出部を含み、
前記昇降手段は、前記第２の背板の前記突出部を前記上下方向に昇降可能な第２の高さ調節ボルトを含む、転倒防止家具。
【請求項９】
家具の背面を構成する背板に沿って上下方向にスライドするスライド背板であって、前記上下方向に延びた少なくとも１つのスリットを含むスライド背板と、
所定の高さにスライドさせた前記スライド背板を、前記少なくとも１つのスリットを介して前記背板に固定する固定手段とを有する、転倒防止装置。
【請求項１０】
請求項９において、さらに、
天井に接触可能な平板であって、前記スライド背板の上方向の端部に設けられた平板を有する、転倒防止装置。
【手続補正書】
【提出日】平成24年5月7日(2012.5.7)
【手続補正１】
【補正対象書類名】特許請求の範囲
【補正対象項目名】全文
【補正方法】変更
【補正の内容】
【特許請求の範囲】
【請求項１】
家具と天井との間に設置する収納ユニットと、
前記収納ユニットの背面を構成する第１の背板と、
前記第１の背板に沿って上下方向にスライドする第２の背板であって、前記上下方向に延びた少なくとも１つのスリットを含む第２の背板と、
所定の高さにスライドさせた前記第２の背板を、前記少なくとも１つのスリットを介して前記第１の背板に固定する固定手段とを有し、
前記少なくとも１つのスリットは、前記第２の背板の下半分のみの位置に配置されている、転倒防止家具。
【請求項２】
請求項１において、
前記少なくとも１つのスリットは、前記第２の背板の下方向の端部から上方向に延びている、転倒防止家具。
【請求項３】
請求項１または２において、
前記第１の背板は、前記上下方向に設けられた複数段の孔を含み、
前記固定手段は、前記第２の背板と前記第１の背板とを、前記少なくとも１つのスリットを介して前記複数段の孔の少なくともいずれかで連結するボルトおよびナットを含む、転倒防止家具。
【請求項４】
請求項３において、
前記固定手段は、前記第２の背板を前記第１の背板とともに挟むプレートを含み、
前記ボルトおよびナットは、前記少なくとも１つのスリットを介して前記プレートと前記第１の背板とを連結している、転倒防止家具。
【請求項５】
請求項１ないし４のいずれかにおいて、さらに、
前記天井に接触可能な平板であって、前記第２の背板の上方向の端部に設けられた平板を有する、転倒防止家具。
【請求項６】
請求項１ないし４のいずれかにおいて、さらに、
前記第２の背板を前記上下方向にスライドさせる昇降手段を有する、転倒防止家具。
【請求項７】
請求項６において、さらに、
前記天井に接触可能な平板であって、前記第２の背板の上方向の端部に設けられた平板を有し、
前記昇降手段は、前記収納ユニットの上面を構成する天板を貫通し、前記平板を前記上下方向に昇降可能な第１の高さ調節ボルトを含む、転倒防止家具。
【請求項８】
家具と天井との間に設置する収納ユニットと、
前記収納ユニットの背面を構成する第１の背板と、
前記第１の背板に沿って上下方向にスライドする第２の背板であって、前記上下方向に延びた少なくとも１つのスリットを含む第２の背板と、
前記第２の背板を前記上下方向にスライドさせる昇降手段と、
所定の高さにスライドさせた前記第２の背板を、前記少なくとも１つのスリットを介して前記第１の背板に固定する固定手段とを有し、
前記第２の背板は、前記収納ユニットの上面を構成する天板を貫通しており、さらに、前記天板よりも下方向に設けられた突出部を含み、
前記昇降手段は、前記第２の背板の前記突出部を前記上下方向に昇降可能な第２の高さ調節ボルトを含む、転倒防止家具。
【請求項９】
家具の背面を構成する背板に沿って上下方向にスライドするスライド背板であって、前記上下方向に延びた少なくとも１つのスリットを含むスライド背板と、
所定の高さにスライドさせた前記スライド背板を、前記少なくとも１つのスリットを介して前記背板に固定する固定手段とを有し、
前記少なくとも１つのスリットは、前記スライド背板の下半分のみの位置に配置されている、転倒防止装置。
【請求項１０】
請求項９において、
前記少なくとも１つのスリットは、前記スライド背板の下方向の端部から上方向に延びている、転倒防止装置。
【手続補正２】
【補正対象書類名】明細書
【補正対象項目名】０００５
【補正方法】変更
【補正の内容】
【０００５】
本発明の態様の１つは、家具と天井との間に設置する収納ユニットと、収納ユニットの背面を構成する第１の背板と、第１の背板に沿って上下方向にスライドする第２の背板であって、上下方向に延びた少なくとも１つのスリットを含む第２の背板と、所定の高さにスライドさせた第２の背板を、少なくとも１つのスリットを介して第１の背板に固定する固定手段とを有し、少なくとも１つのスリットは、第２の背板の下半分のみの位置に配置されている転倒防止家具である。
【手続補正３】
【補正対象書類名】明細書
【補正対象項目名】０００７
【補正方法】変更
【補正の内容】
【０００７】
この転倒防止家具においては、少なくとも１つのスリットは、第２の背板の下方向の端部から上方向に延びているものであってもよい。第１の背板は、上下方向に設けられた複数段の孔を含み、固定手段は、第２の背板と第１の背板とを、少なくとも１つのスリットを介して複数段の孔の少なくともいずれかで連結するボルトおよびナットを含むことが望ましい。固定手段は、第２の背板を第１の背板とともに挟むプレートを含み、ボルトおよびナットは、少なくとも１つのスリットを介してプレートと第１の背板とを連結していることが望ましい。この転倒防止家具においては、さらに、天井に接触可能な平板であって、第２の背板の上方向の端部に設けられた平板を有することが望ましい。天井に損傷を与えることを抑制しやすい。
【手続補正４】
【補正対象書類名】明細書
【補正対象項目名】０００８
【補正方法】変更
【補正の内容】
【０００８】
この転倒防止家具においては、さらに、第２の背板を上下方向にスライドさせる昇降手段を有することが望ましい。この転倒防止家具においては、さらに、天井に接触可能な平板であって、第２の背板の上方向の端部に設けられた平板を有し、昇降手段は、収納ユニットの上面を構成する天板を貫通し、平板を上下方向に昇降可能な第１の高さ調節ボルトを含むことが望ましい。
【手続補正５】
【補正対象書類名】明細書
【補正対象項目名】０００９
【補正方法】変更
【補正の内容】
【０００９】
本発明の異なる態様の１つは、家具と天井との間に設置する収納ユニットと、収納ユニットの背面を構成する第１の背板と、第１の背板に沿って上下方向にスライドする第２の背板であって、上下方向に延びた少なくとも１つのスリットを含む第２の背板と、第２の背板を上下方向にスライドさせる昇降手段と、所定の高さにスライドさせた第２の背板を、少なくとも１つのスリットを介して第１の背板に固定する固定手段とを有し、第２の背板は、収納ユニットの上面を構成する天板を貫通しており、さらに、天板よりも下方向に設けられた突出部を含み、昇降手段は、第２の背板の突出部を上下方向に昇降可能な第２の高さ調節ボルトを含む転倒防止家具である。
【手続補正６】
【補正対象書類名】明細書
【補正対象項目名】００１０
【補正方法】変更
【補正の内容】
【００１０】
本発明のさらに異なる態様の１つは、家具の背面を構成する背板に沿って上下方向にスライドするスライド背板であって、上下方向に延びた少なくとも１つのスリットを含むスライド背板と、所定の高さにスライドさせたスライド背板を、少なくとも１つのスリットを介して背板に固定する固定手段とを有し、少なくとも１つのスリットは、スライド背板の下半分のみの位置に配置されている転倒防止装置である。この転倒防止装置においては、少なくとも１つのスリットは、スライド背板の下方向の端部から上方向に延びているものであってもよい。